(57)【要約】【課題】片手だけで容易にメモ用紙を挟む、外す操作が出来て、紙を外す際にはメモクリップを付けた面から紙だけが外れ、メモクリップごと外れないメモクリップを提供する。【解決手段】紙１３を挟んで、保持する部分に車輪１を用い、ばね４の復元力により車輪１を壁５へ押し付けた状態とする。壁５に対し垂直方向に紙１３を引いて外す際には、ばね４が伸びて車輪１と壁５の間に隙間が出来ても、メモクリップ本体７が壁５から外れない程度の磁石８の強さとばね４の荷重特性とする。【選択図】図５
2010260325.tif 000002
【特許請求の範囲】
【請求項１】
紙を挟んで保持する部分に車輪を用い、ばねの復元力により、壁またはメモクリップ本体へ車輪を押し付ける力を発生させ、ばねの伸びにより、車輪と壁またはメモクリップとの間に隙間が出来ることを特徴とするメモクリップ。
【請求項２】
車輪の回転軸に歯車を備え、板ばねを歯車に押し付けた構造にすることにより、車輪の回転方向を一方向に規制した請求項１記載のメモクリップ。
【発明の詳細な説明】
【技術分野】
【０００１】この発明は、紙などのメモシートを一時的に挟み、壁などに、磁石、接着剤などにより貼り付けるメモクリップに関するものである。
【背景技術】
【０００２】従来技術として一般的なものは、紙などのメモシートをプラスチック、金属、木などの板２枚を互いに押し付けあった所に挟み、ばねの復元力を利用して挟んだ状態を保持するものがある。これは紙を挟む際および外す際には、片手で紙を持ちながら他方の手で２枚の板をつまんで、紙を挟む部分を開くため両手を使った操作が必要である。これに対し、片手だけで紙を挟む、外すといった操作が出来るよう、紙を挟む部分に、ゴムなどをひげ状にした構造を用いたものがある。これは紙をゴムなどの弾性体部分へ挿入することで一時的にメモクリップに挟んだ状態とする。ゴムなどの弾性体の弾性力および摩擦力により紙は挟まれた状態を保持しているため、紙をゴムなどの弾性体部分から抜けるように引くと外れる。これにより片手で紙の挟む、外す操作が出来るようになっている。紙を下側からメモクリップに挿入して挟み、外す際は紙を下側に引いて外す操作となる。（例えば  特開２００１−３９０７０号公報）
【先行技術文献】
【特許文献】
【０００３】
【特許文献１】公開特許公報  特開２００１−３９０７０
【発明の概要】
【発明が解決しようとする課題】
【０００４】従来技術においては、片手で紙を手前に引いて外そうとすると、紙だけでなくメモクリップごと壁から外れてしまう場合が多かった。紙を手前に引くというのはメモクリップが貼り付けられている壁に対し、垂直方向に紙を引くという意味である。特に、飲食店で、調理者が注文内容の確認のため、注文伝票を一時的にメモクリップに挟んで使用する場合、通常、調理が終わると、注文伝票をメモクリップから下に引いて外すが、素早い作業が要求されるため、無意識に注文伝票を手前に引いてしまい、注文伝票と一緒にメモクリップも貼り付けていた所から外れてしまうことがあった。こうなると、外れたメモクリップを注文伝票から外して再度壁などに貼り付けるため作業効率が悪くなる。本発明は、片手で紙の挟む外す操作が容易にでき、更に紙を手前に引いても紙だけが外れてメモクリップは壁などに貼り付いたままとなるといった、紙を外す自由度を増やしたメモクリップを実現させることを課題とする。
【課題を解決するための手段】
【０００５】紙を挟む部分に回転可能な車輪１を用いる。この車輪１は、ばね４の力により紙を壁５またはメモクリップ本体挟持部６に押さえつけられる。車輪１は車軸２と固定し、車軸２は回動部３に車輪１の回転が規制されないように固定する。回動部３はメモクリップ本体７に対し、上下に回転するよう固定する。ばね４をメモクリップ本体７と回動部３とに固定する。車輪１が壁５またはメモクリップ本体挟持部６から紙が外れる程度の隙間が出来るくらい回動部３が回転し、ばね４が伸びても、メモクリップ本体７が外れない程度のばね４の強さとする。メモクリップ本体７には磁石８、接着剤などを付けて、任意の場所に貼り付けられるようにする。メモクリップ本体７、回動部３、車軸２、車輪１は、プラスチック、金属、木材などの硬質な材料で作製する。紙と車輪１との摩擦を増やし、紙の保持力を向上させる場合には、車輪１の外周にゴムなど表面摩擦のある弾性体９を付ける。紙を車輪１の接地部へ押し当てると車輪１が回転し、紙が挿入される。更に、紙の保持力を向上させる場合には、紙を挿入した場合のみ車輪１が回転し、紙を外す場合には、車輪１が逆向きに回転しないようにする。これは、例えば、車軸２に歯車１０を固定し、回動部３に固定した板ばね１１の先端を歯車１０に掛けることで実現可能である。
【発明の効果】
【０００６】片手だけで容易に紙をメモクリップへ挟め、また紙を外す際も、片手だけで外せる。更に、外す際においては、紙を下側に引いて外すだけでなく、手前に引いてもメモクリップごと外れることなく容易に紙のみを外せる。また、挟持部がカバーなどで隠れていないので、よく目視確認でき、紙の挟む、外す操作が円滑に行える。さらに、挟持部が車輪であるため、車輪のある乗り物などの形状をしたカバーをつけることで、挟持部が隠されること無く外観も楽しめる。
【図面の簡単な説明】
【０００７】
【図１】本発明の側面図である。
【図２】本発明の正面図である。
【図３】メモクリップ本体側に挟持部を持つ本発明の側面図である。
【図４】本発明の実施状態を示す図である。
【図５】本発明の特徴を示す図である。
【発明を実施するための形態】
【０００８】本発明を実施するための形態を図１、図２、図３に基づいて説明する。
【０００９】図１は本発明の側面図、図２はその正面図である。磁石８を埋め込んだメモクリップ本体７に固定した支点軸１２に対し、回転を規制しないように回動部３が固定される。回動部３は、回転中心を支点軸１２として、回転できる。メモクリップ本体７と回動部３とは、ばね４の端を引っ掛けて取り付けており、ばね４の復元力により、お互いに引き寄せられる力が働いている。車軸２は、回動部３の穴に通されており、車軸２の両端には、車輪１が固定されている。これにより、車輪１は、回動部３に規制されることなく、回転できる。車輪１の外周には、ゴムなどの表面摩擦のある弾性体９を付けている。このことで、紙と車輪１との摩擦を増やしている。車軸２の中心には、歯車１０を圧入して固定しており、回動部３に取り付けた板ばね１１の先端を歯車１０に当てている。板ばね１１は、金属、プラスチックなどの薄い板である。車輪１が、時計回りに回る際は、歯車１０の歯により板ばね１１が押し上げられ、歯車１０が回転する。逆に、車輪２が反時計回りに回る際は、板ばね１１の端に歯車１０の歯側面が当たり、突っ張るため、歯車１０は回転できなくなる。図１、図２は、メモクリップを取り付けた面と、車輪１との間に紙を挟んで保持するものとなる。
【００１０】図３は、メモクリップ本体７側に挟持部を持つ本発明の側面図である。図３ではメモクリップ本体７と、車輪１との間に紙を挟んで保持するものとなる。
【実施例１】
【００１１】実施例１を図４、図５に基づいて説明する。図４は、壁５に本発明のメモクリップを取り付け、紙１３を挟持した状態を示した断面図である。紙１３を挟む際は、紙を車輪１の下側から挿して行くと、車輪１が回転し、紙１３をメモクリップ本体７側まで入れられる。車輪１が回転するため、回転しない場合に比べ、小さな力で紙１３を挿入することができる。このことにより、片手で容易にメモ用紙を挟むことができる。紙１３を挿入して手を放すと、紙は自重で、下側へ落ちようとするが車輪１が逆方向へは回転しないため、紙１３を挟んだ状態を保持することができる。紙１３を下側へ引いて外す際は、ゴムなどの表面摩擦のある弾性体９と紙１３との間に発生する最大静止摩擦力から紙１３の自重を引いた力以上の力で引くことにより、紙１３が下側へすり抜け、メモクリップから外れる。【００１２】図５は、紙１３を手前側へ引いて外す状態を示した図である。紙１３を手前側へ引いて外す場合は、ばね４が伸びて車輪１と壁５の間に隙間ができ、紙１３が車輪１から滑り抜けメモクリップから外れる。
【符号の説明】
【００１３】１  車輪
２  車軸
３  回動部
４  ばね
５  壁
６  メモクリップ本体挟持部
７  メモクリップ本体
８  磁石
９  ゴムなどの表面摩擦のある弾性体
１０  歯車
１１  板ばね
１２  支点軸
１３  紙
【図１】
2010260325.tif 000003
【図２】
2010260325.tif 000004
【図３】
2010260325.tif 000005
【図４】
2010260325.tif 000006
【図５】
2010260325.tif 000007